(57)【要約】【課題】強度の強いストッパー機構を構成でき、構造が簡単で容易に製造できる回転式電子部品を提供する。【解決手段】上面に抵抗体パターン１３を形成した基板１０と、基板１０の下面に取り付けられ基板１０の上面中央から突出する軸部７３及び基板１０の上面外周から突出するストッパー部７５を有する集電板７０と、本体板３１と重畳板５１とを両者を連結する連結部６１の部分で折り曲げて重畳してなる摺動子３０と、を具備する。基板１０の上面に摺動子３０を設置して集電板７０の軸部７３によって摺動子３０を基板１０上に回動自在に取り付ける。摺動子３０の連結部６１の折り曲げた左右両側辺の面をストッパー当接部６３とし、ストッパー当接部６３を集電板７０のストッパー部７５に当接させることで摺動子３０の回転を係止させる。ストッパー当接部６３の面を、摺動子３０の回転方向に略直交する面に形成する。【選択図】図１
2009117751.tif 000002
【特許請求の範囲】
【請求項１】
上面に摺接パターンを形成してなる基板と、
前記基板に取り付けられ、前記基板の上面の摺接パターンの中央から突出する軸部及び基板の上面の摺接パターンの外方から突出するストッパー部を有する集電板と、
嵌挿孔を有する本体板と重畳板とを両者を連結する連結部の部分で折り曲げて重畳してなる摺動子と、を具備し、
前記基板の上面に摺動子を設置してその嵌挿孔に集電板の軸部を挿入することで摺動子を基板上に回動自在に取り付け、
一方摺動子の連結部の折り曲げた左右両側辺の面をストッパー当接部とし、このストッパー当接部を前記集電板のストッパー部に当接させることで摺動子の回転を係止させる回転式電子部品において、
前記摺動子のストッパー当接部の面は、摺動子の回転方向に略直交する面に形成されていることを特徴とする回転式電子部品。
【請求項２】
前記摺動子のストッパー当接部は、重畳している板の内、本体板側を重畳板側よりも摺動子の回転方向前方に向かって突出させていることを特徴とする請求項１に記載の回転式電子部品。
【請求項３】
前記摺動子のストッパー当接部は、連結部の左右両側辺の折り曲げた先端側から本体板側に向かって連結部の幅を狭めるように斜めに傾斜する傾斜面で構成されていることを特徴とする請求項１又は２に記載の回転式電子部品。
【発明の詳細な説明】
【技術分野】
【０００１】
本発明は、半固定可変抵抗器等の回転式電子部品に関するものである。
【背景技術】
【０００２】
従来、チップ型の半固定可変抵抗器は、基板と摺動子と集電板とを具備し、基板上に摺動子を配置すると共に基板の下側に集電板を配置し、集電板に設けた筒状の軸部を基板に設けた貫通孔と摺動子に設けた嵌挿孔に挿入し、軸部の先端をかしめることで摺動子を基板上に回動自在に固定して構成されている。
【０００３】
一方この種の半固定可変抵抗器の中にはその抵抗値調整作業をスムーズにするため等の目的で、摺動子が３６０°回転しないようにストッパー機構を設けてその回転角度を規制するものがあった。図１４はこの種の従来のチップ型の半固定可変抵抗器５００の斜視図である。同図に示す半固定可変抵抗器５００は、上面にＣ字状の摺接パターン（図示せず）を形成してなる基板５１０と、基板５１０の上面に設置される摺動子５３０と、基板５１０の下面に設置される集電板５５０とを具備し、集電板５５０に設けた筒状の軸部５５１を基板５１０と摺動子５３０とに貫通させてその先端をかしめることで摺動子５３０を回動自在に基板５１０上に軸支して構成されている。
【０００４】
また集電板５５０の一部には基板５１０の外周においてこれを基板５１０側に略直角に折り曲げて基板５１０の上面から突出させてなるストッパー部５５１を設けている。一方摺動子５３０は集電板５５０の軸部５５１に軸支される本体板５３１と調整治具挿入口５３５を有する重畳板５３３とを両者を連結する連結部５３７の部分で折り曲げて重畳して構成されている。連結部５３７の折り曲げた左右両側辺の面はストッパー当接部５３９，５３９となっており、摺動子５３０を回転した際にストッパー当接部５３９が前記集電板５５０のストッパー部５５１の側面に当接することで、その回転が係止される。
【０００５】
しかしながら上記摺動子５３０の両ストッパー当接部５３９，５３９は連結部５３７の平行な左右両側辺の面によって構成されているので、このストッパー当接部５３９の面は集電板５５０のストッパー部５５１の側面に斜めに傾斜した状態で当接する。このためストッパー部５５１には同図に示す矢印Ａのようにストッパー部５５１を外方に向けて押圧していく方向の力が作用し、このためストッパー部５５１が外方に向けて倒れてその上を摺動子５３０のストッパー当接部５３９が通過し、ストッパー機構が機能しなくなる恐れがあった。
【０００６】
上記問題を解決するため、例えば集電板５５０のストッパー部５５１を２重折り（例えば特許文献１の図２参照）にしてその強度を高める方法等が考えられている。しかしながらストッパー部５５１を２重折りにするのは小さな部品に折り曲げ工程を加える必要がある等、その製造が煩雑になる恐れがあるばかりか、そのように構成した場合でもストッパー部５５１に外方に向かう力が作用することには変わりがないのでやはりこのストッパー部５５１が外方に向けて倒れてストッパー機構が機能しなくなる恐れは解消しなかった。
【特許文献１】特開２００５−３３３０２４号公報
【発明の開示】
【発明が解決しようとする課題】
【０００７】
本発明は上述の点に鑑みてなされたものでありその目的は、強度の強いストッパー機構を構成することができ、また構造が簡単で容易に製造することができる回転式電子部品を提供することにある。
【課題を解決するための手段】
【０００８】
本願請求項１に記載の発明は、上面に摺接パターンを形成してなる基板と、前記基板に取り付けられ、前記基板の上面の摺接パターンの中央から突出する軸部及び基板の上面の摺接パターンの外方から突出するストッパー部を有する集電板と、嵌挿孔を有する本体板と重畳板とを両者を連結する連結部の部分で折り曲げて重畳してなる摺動子と、を具備し、前記基板の上面に摺動子を設置してその嵌挿孔に集電板の軸部を挿入することで摺動子を基板上に回動自在に取り付け、一方摺動子の連結部の折り曲げた左右両側辺の面をストッパー当接部とし、このストッパー当接部を前記集電板のストッパー部に当接させることで摺動子の回転を係止させる回転式電子部品において、前記摺動子のストッパー当接部の面は、摺動子の回転方向に略直交する面に形成されていることを特徴とする回転式電子部品にある。
【０００９】
本願請求項２に記載の発明は、前記摺動子のストッパー当接部は、重畳している板の内、本体板側を重畳板側よりも摺動子の回転方向前方に向かって突出させていることを特徴とする請求項１に記載の回転式電子部品にある。
【００１０】
本願請求項３に記載の発明は、前記摺動子のストッパー当接部は、連結部の左右両側辺の折り曲げた先端側から本体板側に向かって連結部の幅を狭めるように斜めに傾斜する傾斜面で構成されていることを特徴とする請求項１又は２に記載の回転式電子部品にある。
【発明の効果】
【００１１】
請求項１に記載の発明によれば、摺動子のストッパー当接部の面が集電板のストッパー部に当接してこれを押圧した際に、ストッパー部は摺動子の回転方向に向けて押圧されるだけでこのストッパー部にはこれを外方又は内方（半径方向）に向けて押圧する力は働かない。従ってストッパー部が外方（又は内方）に向けて倒れることはなく、強度の強いストッパー機構が構成できる。また摺動子のストッパー当接部の形状を変更するだけなので、構造が簡単で組立作業が煩雑になることもない。なおストッパー当接部は摺動子の上下の板が重畳している連結部の部分に形成されているので強度が強く、この点からも強度の強いストッパー機構が構成できる。
【００１２】
請求項２に記載の発明によれば、摺動子のストッパー当接部の本体板側が常に集電板のストッパー部に当接することとなるが、本体板は基板に回動自在に軸支される側の板なので、折り曲げられて重畳される重畳板よりも基板や集電板に対してその取付位置の精度が高い。従ってストッパー機構による摺動子の停止位置の精度が向上する。また重畳板は連結部の折曲部分で本体板に連結されているので連結部の折曲部分を中心にして面方向にぐらつき易く、従ってもし重畳板側のストッパー当接部に集電板のストッパー部を強く当接させると、重畳部がぐらつき、精度の良い停止位置を維持できなくなる恐れがあるが、この発明によれば、そのような問題もない。
【００１３】
請求項３に記載の発明によれば、摺動子のストッパー当接部の面を、簡単な形状で容易に摺動子の回転方向に略直交する面に形成することができる。
【発明を実施するための最良の形態】
【００１４】
以下、本発明の実施形態を図面を参照して詳細に説明する。
〔第１実施形態〕
図１は本発明の第１実施形態にかかる回転式電子部品（以下「半固定可変抵抗器」という）１−１を上側から見た斜視図、図２は半固定可変抵抗器１−１を下側から見た斜視図、図３は半固定可変抵抗器１−１の平面図、図４は半固定可変抵抗器１−１を上側から見た分解斜視図、図５は半固定可変抵抗器１−１を下側から見た分解斜視図である。これらの図に示すように半固定可変抵抗器１−１は、基板１０の上下面にそれぞれ摺動子３０と集電板７０を設置して構成されている。以下各構成部品について説明する。なお以下の説明において、「上」とは基板１０から見て摺動子３０の側を、「下」とはその反対側を言うものとする。
【００１５】
基板１０は略矩形状の絶縁板（この半固定可変抵抗器１−１ではアルミナ等のセラミックス製）からなり、その表面（上面）に円弧状の摺接パターン（以下「抵抗体パターン」という）１３を形成し、また抵抗体パターン１３の両端に導電パターンからなる一対の端子部１５，１５を接続形成して構成されている。また基板１０の中央（抵抗体パターン１３の中央）には貫通孔１１が設けられている。また基板１０の下面には集電板７０を収納して位置決めする凹部１７が設けられている。また基板１０の端子部１５を設けた辺に対向する反対側の辺の中央には凹状のストッパー部挿入部１９が設けられている。
【００１６】
摺動子３０は本体板３１と重畳板５１とを連結部６１で連結した一枚の薄板状の弾性金属板（この半固定可変抵抗器１−１ではステンレス板）で構成されており、連結部６１の部分を折り曲げることで本体板３１の上に重畳板５１を重ね合せて構成されている。
【００１７】
重畳板５１は略円形であり、その中央に調整治具（プラス又はマイナスドライバ）挿入用の十字形の貫通する調整治具挿入口５３が設けられている。つまりこの半固定可変抵抗器１−１では重畳板５１はドライバプレートとなっている。
【００１８】
本体板３１は略円形であり、その中央に下方向に突出・湾曲する略すり鉢状（円形カップ状）の基部３３を有し、基部３３の底部中央に円形の貫通する嵌挿孔３５を設けている。また本体板３１の外周部分（基部３３を囲む位置で、連結部６１とは１８０°反対側の位置）には半円弧状の摺動接点形成用アーム３７が設けられ、その中央には下方向にＶ字状に折り曲げてなる摺動接点３９が形成されている。摺動接点形成用アーム３７はその両端部分を折り曲げることで少し斜め下方向に傾いている。また基部３３の周囲の平板の部分の前記調整治具挿入口５３に対向する部分には、４つの矩形状の調整治具挿入凹部４１が設けられている。各調整治具挿入凹部４１はその両側辺を切り欠いて切り欠いた間の板部分を下方向に突出させることによって形成されている。
【００１９】
連結部６１は折り曲げることで板が二重に重ねられており、連結部６１の折り曲げた左右両側辺の、下記する集電板７０のストッパー部７５が当接する面をストッパー当接部６３，６３としている。ストッパー当接部６３，６３は、連結部６１の左右両側辺の先端部分から本体板３１側（重畳板５１側でもある）に向かって連結部６１の幅を狭めるように斜めに傾斜する傾斜面で構成されている。即ちこれらストッパー当接部６３，６３の面は、傾斜面とすることで、摺動子３０の回転方向（図３のＣ方向）に直交（略直交）する面となるように形成されている。言い換えれば、ストッパー当接部６３，６３の面を摺動子３０の回転方向（図３のＣ方向）に直交（略直交）する面とするために、この半固定可変抵抗器１−１では前記傾斜面を設けている。
【００２０】
またこの半固定可変抵抗器１−１では連結部６１の上下２枚の板に設けたストッパー当接部６３の面がぴったり一致する（同一面となる）ようにしている。このように上下２枚の板のストッパー当接部６３の面をぴったり一致させるには、例えば左右両側辺が平行な連結部６１（図１４に示す連結部５３７と同一形状のもの）の部分を折り曲げることで本体板３１の上に重畳板５１を重ね合せて摺動子３０（図１４に示す摺動子５３０と同一形状）を構成し、その後この摺動子３０の前記連結部６１の重ね合せた左右両側辺の部分を同時にプレス加工等によってカットすることで傾斜面からなるストッパー当接部６３を形成すること等によって行えばよい。
【００２１】
集電板７０は金属板製（この半固定可変抵抗器１−１では錫メッキされた鉄板製）であり、略矩形の平板部７１の所定位置に上方向に突出する筒状突起からなる軸部７３を設け、また平板部７１の外周から突出する舌片状（略矩形状）のストッパー部７５をその根元から上方向に略９０°折り曲げることで直立させて構成されている。軸部７３とストッパー部７５の高さは、何れも基板１０の厚みを越えて基板１０の上方に所定寸法突出する高さに形成されている。
【００２２】
半固定可変抵抗器１−１の組み立ては、基板１０の上面に摺動子３０を配置し、基板１０の下面（凹部１７内）に集電板７０を配置（収納）し、その際基板１０の貫通孔１１と摺動子３０の嵌挿孔３５とを貫通した集電板７０の軸部７３の先端をかしめることで、摺動子３０を基板１０上に回動自在に取り付けることによって行われる。このとき集電板７０のストッパー部７５は基板１０のストッパー部挿入部１９内を通過して基板１０の上面側に突出する。
【００２３】
以上のようにして構成された半固定可変抵抗器１−１において、摺動子３０の調整治具挿入口５３及び調整治具挿入凹部４１内に図示しない調整治具を挿入してこれを回動すれば、摺動子３０が回動して摺動接点３９が抵抗体パターン１３上を摺動して両端子部１５，１５と集電板７０間の抵抗値が変化する。
【００２４】
一方摺動子３０を回動して、図１〜図３に示すように摺動子３０に設けた何れか一方のストッパー当接部６３の面を集電板７０のストッパー部７５の側辺に当接すると、その回動が係止（停止）される。つまり摺動子３０の所定の回転角度以上の回転は規制される。このときストッパー当接部６３は、前述のようにその面が摺動子３０の回転方向（図３のＣ方向）に略直交する面となるように形成されているので、その面による押圧方向は前記ストッパー部７５の側辺の当接面に垂直な方向（ストッパー部７５を回転方向Ｃに押圧する方向）となる。従ってストッパー部７５にはこれを回転方向（図３の矢印Ｃ方向）に押圧する力のみが作用し、ストッパー部７５を外方（図３の矢印Ｅ方向）や内方（図３の矢印Ｆ方向）、即ち摺動子３０の半径方向、に押圧する力は作用しない。従って摺動子３０による強いトルクがストッパー部７５に負荷されても、ストッパー部７５が外方（又は内方）に向けて倒れるように変形することはなく、強度の強いストッパー機構を構成することができ、確実に摺動子３０の回動を係止することができる。
【００２５】
またこの半固定可変抵抗器１−１におけるストッパー機構は、摺動子３０のストッパー当接部６３の形状を変更するだけなので、構造が簡単で組立作業が煩雑になることもない。さらにストッパー当接部６３は摺動子３０の上下の板が重畳している連結部６１の部分に形成されているので強度が強く、この点からも強度の強いストッパー機構が構成できる。またこの半固定可変抵抗器１−１の場合、前述のように、摺動子３０のストッパー当接部６３が、連結部６１の左右両側辺の先端部分から本体板３１側（重畳板５１側）に向かって連結部６１の幅を狭めるように斜めに傾斜する傾斜面で構成されているので、このストッパー当接部６３の面を、簡単な形状で容易に摺動子３０の回転方向に略直交する面に形成することができる。
【００２６】
〔第２実施形態〕
図６は本発明の第２実施形態にかかる回転式電子部品（以下「半固定可変抵抗器」という）１−２を上側から見た斜視図、図７は半固定可変抵抗器１−２を下側から見た斜視図、図８は半固定可変抵抗器１−２の平面図、図９はストッパー当接部６３とストッパー部７５の当接状態を示す要部拡大斜視図、図１０は半固定可変抵抗器１−２を上側から見た分解斜視図、図１１は半固定可変抵抗器１−２に用いる摺動子３０−２を下側から見た斜視図である。これらの図に示す半固定可変抵抗器１−２において、前記図１〜図５に示す半固定可変抵抗器１−１と同一又は相当部分には同一符号を付す。なお以下で説明する事項以外の事項については、前記図１〜図５に示す半固定可変抵抗器１−１と同じである。
【００２７】
図６〜図１１に示す半固定可変抵抗器１−２においても、基板１０の上下面にそれぞれ摺動子３０−２と集電板７０とを設置して構成されている。この半固定可変抵抗器１−２で用いる基板１０及び集電板７０は、前記半固定可変抵抗器１−１で用いた基板１０及び集電板７０と同一のものである。また摺動子３０−２の構造も半固定可変抵抗器１−１の摺動子３０の構造とほぼ同一であり、相違する点は、摺動子３０−２のストッパー当接部６３の部分の形状のみである。従って基板１０及び集電板７０及び摺動子３０−２のストッパー当接部６３を除く部分の説明は省略する。
【００２８】
半固定可変抵抗器１−２における摺動子３０−２のストッパー当接部６３は、重畳している上下の板の内、本体板３１側のストッパー当接部６３を重畳板５１側のストッパー当接部６３よりも摺動子３０−２の回転方向（図８に示す矢印Ｃ方向）前方に向かって突出（例えば０．０３ｍｍ程度突出）させている。言い換えれば本体板３１側のストッパー当接部６３の面の方が、重畳板５１側のストッパー当接部６３の面よりも回転方向前方に突出している。
【００２９】
摺動子３０−２のストッパー当接部６３をこのように構成すれば、図９に示すように摺動子３０−２のストッパー当接部６３の本体板３１側が常に集電板７０のストッパー部７５に当接することとなるが、本体板３１は基板１０に回動自在に軸支される側の板なので、折り曲げられて重畳される重畳板５１よりも基板１０や集電板７０に対してその取付位置の精度が高い。従ってストッパー機構による摺動子３０の停止位置の精度が向上する。また重畳板５１は連結部６１の折曲部分で本体板３１に連結されているので連結部６１の折曲部分を中心にして面方向にぐらつき易く、従ってもし重畳板５１側のストッパー当接部６３に集電板７０のストッパー部７５を強く当接させると、重畳部５１がぐらつき、精度の良い停止位置を維持できなくなる恐れがあるが、この半固定可変抵抗器１−２によれば、そのような問題が生じない。
【００３０】
ところで前記半固定可変抵抗器１−１の場合は上下の本体板３１及び重畳板５１の両者に設けたストッパー当接部６３の面がぴったり一致しているので、上記半固定可変抵抗器１−２のストッパー当接部６３の構造の有する効果を全て有すると同時に、重畳板５１のストッパー当接部６３もストッパー部７５に同時に当接するので強度上もさらに好ましい。それにもかかわらず半固定可変抵抗器１−２のように上下のストッパー当接部６３の面の位置をずらして構成したのは以下の理由による。
【００３１】
即ち本体板３１及び重畳板５１の両者に設けたストッパー当接部６３の面をぴったり一致させるには、上述のように本体板３１の上に重畳板５１を重ね合せた後に上下の板のストッパー当接部６３を同時にカットする必要がある。これに対して図１２に示すように、連結部６１で連結した折り曲げ前の本体板３１及び重畳板５１に予めストッパー当接部６３を形成しておき、その後折り曲げ線Ｌの部分で折り曲げて本体板３１の上に重畳板５１を重ね合せて摺動子３０を組み立てる場合は、もし本体板３１側のストッパー当接部６３と重畳板５１側のストッパー当接部６３とをぴったり一致するように形成しておくと、重ね合せた本体板３１と重畳板５１の間の僅かなズレ（組立誤差）によって重畳板５１側のストッパー当接部６３の面が本体板３１側のストッパー当接部６３の面よりも前方に突出してしまう恐れがある。そこでこの半固定可変抵抗器１−２においては、予め本体板３１側のストッパー当接部６３の面が、重畳板５１側のストッパー当接部６３の面よりも前方に僅かに突出する寸法に形成しておき、例え重ね合せた本体板３１と重畳板５１の間に僅かなズレがあっても、確実に本体板３１側のストッパー当接部６３の面の方を重畳板５１側のストッパー当接部６３の面よりも前方に突出させるようにしたのである。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上述した各半固定可変抵抗器１−１，１−２の摺動子３０−２においては、調整治具挿入口５３を設けた重畳板５１を、嵌挿孔３５を設けた本体板３１の上部に重ね合せたが、図１３にその展開図を示す摺動子３０−３のように、嵌挿孔３５を設けた（摺動接点形成用アーム３７を設けていない）本体板３１と、摺動接点形成用アーム３７を設けたリング状の重畳板５１とを連結部６１によって連結し、連結部６１の部分を折り曲げることで本体板３１の下面側に重畳板５１を重ね合せる構造（つまり本体板３１と重畳板５１を重ね合せる上下の順番が逆になる構造。このとき重畳板５１の中央に設けた開口５２内に本体部３１の基部３３が挿入される。）の摺動子３０−３に本発明にかかるストッパー当接部６３を設けても良い。
【００３３】
また摺動子を構成する本体板や重畳板や連結部の形状・構造に種々の変更が可能であることは言うまでもなく、本体板は集電板の軸部を挿入する嵌挿孔を有する構造であればどのような構造でも良く、また重畳板は調整治具挿入口又は摺動接点形成用アーム等を有する構造であればどのような構造でも良く、連結部は本体板と重畳板とを連結して折り曲げられる構造であればどのような構造でも良い。
【００３４】
また基板はセラミックス製に限定されず、合成樹脂製等であっても良い。また基板上に形成する摺接パターンは抵抗体パターンに限定されず、スイッチパターンなどの他の各種パターンであっても良い。また集電板は必ずしも基板の下面に設置する必要はなく、例えば基板内に収納（インサート成形を含む）するように設置しても良い。要は集電板は、その軸部が基板の上面の摺接パターンの中央から突出し、そのストッパー部が基板の上面の摺接パターンの外方から突出するように設置されていれば良い。また本発明は半固定可変抵抗器以外の各種回転式電子部品にも適用できる。
【図面の簡単な説明】
【００３５】
【図１】半固定可変抵抗器１−１を上側から見た斜視図である。
【図２】半固定可変抵抗器１−１を下側から見た斜視図である。
【図３】半固定可変抵抗器１−１の平面図である。
【図４】半固定可変抵抗器１−１を上側から見た分解斜視図である。
【図５】半固定可変抵抗器１−１を下側から見た分解斜視図である。
【図６】半固定可変抵抗器１−２を上側から見た斜視図である。
【図７】半固定可変抵抗器１−２を下側から見た斜視図である。
【図８】半固定可変抵抗器１−２の平面図である。
【図９】ストッパー当接部６３とストッパー部７５との当接状態を示す要部拡大斜視図である。
【図１０】半固定可変抵抗器１−２を上側から見た分解斜視図である。
【図１１】摺動子３０−２を下側から見た斜視図である。
【図１２】摺動子３０−２の展開平面図である。
【図１３】摺動子３０−３の展開図である。
【図１４】半固定可変抵抗器５００の斜視図である。
【符号の説明】
【００３６】
１−１  半固定可変抵抗器（回転式電子部品）
１０  基板
１１  貫通孔
１３  抵抗体パターン（摺接パターン）
１５  端子部
３０  摺動子
３１  本体板
３３  基部
３５  嵌挿孔
３９  摺動接点
５１  重畳板
５３  調整治具挿入口
６１  連結部
６３  ストッパー当接部
７０  集電板
７３  軸部
７５  ストッパー部
１−２  半固定可変抵抗器（回転式電子部品）
３０−２  摺動子
３０−３  摺動子
【図１】
2009117751.tif 000003
【図２】
2009117751.tif 000004
【図３】
2009117751.tif 000005
【図４】
2009117751.tif 000006
【図５】
2009117751.tif 000007
【図６】
2009117751.tif 000008
【図７】
2009117751.tif 000009
【図８】
2009117751.tif 000010
【図９】
2009117751.tif 000011
【図１０】
2009117751.tif 000012
【図１１】
2009117751.tif 000013
【図１２】
2009117751.tif 000014
【図１３】
2009117751.tif 000015
【図１４】
2009117751.tif 000016